【手続補正書】
【提出日】平成18年6月30日(2006.6.30)
【手続補正１】
【補正対象書類名】特許請求の範囲
【補正対象項目名】全文
【補正方法】変更
【補正の内容】
【特許請求の範囲】
【請求項１】
特定の企業活動により生じた経済価値を計算する方法であって、逐次、
ａ）製品の製造または取得活動の合計費用を計算するステップと、
ｂ）顧客、販売地域、製品等級および市場セグメントを含む１つまたは複数のパラメータを選択するステップと、
ｃ）前記１つまたは複数のパラメータに関する販売数量および正味価格を計算するステップと、
ｄ）前記１つまたは複数のパラメータに関する製造寄与を計算するステップと、
ｅ）前記１つまたは複数のパラメータに関する税引き後営業利益を計算するステップと、
ｆ）前記１つまたは複数のパラメータに関する経済付加価値を計算することにより、特定の企業活動により生じた経済価値を決定するステップと
を備えたことを特徴とする方法。
【請求項２】
特定の企業活動により生じた経済価値を計算する方法であって、前記方法が逐次、
ａ）製品の製造または取得活動の合計費用を計算するステップであって、
ｉ）多様なデータソースからの費用データを関係データベースに収集するステップにより計算し、前記費用データが、
１）各製品のユーティリティおよび原材料費を収集するステップと、
２）各製造作業の費用データを集計するステップと、
３）各製品等級の生産性、構成、および包装データを集計するステップと、
４）各製造作業について製品等級別の数量を収集するステップとを含むステップと、
ｂ）顧客、販売地域、等級および市場セグメントに関連する販売数量および正味価格を計算するステップであって、
ｉ）各顧客、地域および等級に関連する販売データを収集するステップと、
ｉｉ）各顧客、地域および等級について市場セグメントを識別するステップと、
ｉｉｉ）各顧客、地域および等級についてリベートおよび割引きを識別するステップとにより計算するステップと、
ｃ）各顧客、地域、等級および市場セグメントに関連する製造寄与を計算するステップであって、
ｉ）完成品の流通経費および各製品と各地域に関連する変動費データを収集するステップにより計算するステップと、
ｄ）各顧客、地域、等級および市場セグメントに関する税引き後営業利益を計算するステップであって、
ｉ）研究開発その他全ての管理費、および各製品ファミリーに関連する正味永久的投資データを収集するステップと、
ｉｉ）他の地域から提供される販売支援が調整された、各地域に関連する販売費データを収集するステップと、
ｉｉｉ）各地域および市場セグメントに関連する製品ファミリーにより販売費努力を識別するステップと、
ｉｖ）実効地域税率および各種グローバル費用データを識別するステップとにより計算するステップと、
ｅ）各顧客、地域、等級および市場セグメントに関する経済付加価値を計算するステップと
を備えたことを特徴とする方法。
【請求項３】
前記計算ステップａ）、ｂ）、ｃ）、ｄ）およびｅ）は、
１）前記関係データベースシステムの所定の欄のデータにアクセスするステップと、
２）前記データに所定の数式を適用するステップと、
３）前記関係データベースシステムの所定の結果欄に前記結果を保存するステップと
により実行されることを特徴とする請求項２に記載の方法。
【請求項４】
前記企業活動は製造作業であり、および製品ファミリー全体に掛かる費用は、製造資産の共用に基づいて配分されることを特徴とする請求項１に記載の方法。
【請求項５】
製品の製造または取得活動の合計費用を計算する前記ステップａ）は、原材料リストにより、内製された等級の製造費用を調停するステップを更に含むことを特徴とする請求項２に記載の方法。
【手続補正２】
【補正対象書類名】明細書
【補正対象項目名】００７８
【補正方法】変更
【補正の内容】
【００７８】
上述の利点を以って当業者は、他の関係データベースも利用できることを認識し、他の入力フォーマットも適宜利用できる点を認識しよう。当業者はまた、出力データの視覚化に他の公知のグラフィック技術も利用できる点を認識されよう。
以下に本発明の本質的な態様を示す。
［１］  特定の企業活動により生じた経済価値を計算する方法であって、逐次、ａ）製品の製造または取得活動の合計費用を計算するステップと、ｂ）顧客、販売地域、製品等級および市場セグメントを含む１つまたは複数のパラメータを選択するステップと、ｃ）前記１つまたは複数のパラメータに関する販売数量および正味価格を計算するステップと、ｄ）前記１つまたは複数のパラメータに関する製造寄与を計算するステップと、ｅ）前記１つまたは複数のパラメータに関する税引き後営業利益を計算するステップと、ｆ）前記１つまたは複数のパラメータに関する経済付加価値を計算することにより、特定の企業活動により生じた経済価値を決定するステップとを備えたことを特徴とする方法。
［２］  特定の企業活動により生じた経済価値を計算する方法であって、前記方法が逐次、ａ）製品の製造または取得活動の合計費用を計算するステップであって、ｉ）多様なデータソースからの費用データを関係データベースに収集するステップにより計算し、前記費用データが、１）各製品のユーティリティおよび原材料費を収集するステップと、２）各製造作業の費用データを集計するステップと、３）各製品等級の生産性、構成、および包装データを集計するステップと、４）各製造作業について製品等級別の数量を収集するステップとを含むステップと、ｂ）顧客、販売地域、等級および市場セグメントに関連する販売数量および正味価格を計算するステップであって、ｉ）各顧客、地域および等級に関連する販売データを収集するステップと、ｉｉ）各顧客、地域および等級について市場セグメントを識別するステップと、ｉｉｉ）各顧客、地域および等級についてリベートおよび割引きを識別するステップとにより計算するステップと、ｃ）各顧客、地域、等級および市場セグメントに関連する製造寄与を計算するステップであって、ｉ）完成品の流通経費および各製品と各地域に関連する変動費データを収集するステップにより計算するステップと、ｄ）各顧客、地域、等級および市場セグメントに関する税引き後営業利益を計算するステップであって、ｉ）研究開発その他全ての管理費、および各製品ファミリーに関連する正味永久的投資データを収集するステップと、ｉｉ）他の地域から提供される販売支援が調整された、各地域に関連する販売費データを収集するステップと、ｉｉｉ）各地域および市場セグメントに関連する製品ファミリーにより販売費努力を識別するステップと、ｉｖ）実効地域税率および各種グローバル費用データを識別するステップとにより計算するステップと、ｅ）各顧客、地域、等級および市場セグメントに関する経済付加価値を計算するステップとを備えたことを特徴とする方法。
［３］  前記収集ステップａ）ｉ）、ｂ）ｉ）、ｃ）ｉ）、ｄ）ｉ）およびｄ）ｉｉ）は、前記データを関係データベースシステム内の所定の欄にロードするステップにより実現されることを特徴とする［２］に記載の方法。
［４］  前記収集ステップａ）ｉ）、ｂ）ｉ）、ｃ）ｉ）、およびｄ）ｉ）とｉｉ）は更に、前記ロードするステップの前に、１つまたは複数の表計算シートにデータを蓄積するステップを含むことを特徴とする［２］に記載の方法。
［５］  各収集ステップの後で、後続の計算に必要なデータが欠落しているかを判定し、所定の基準と対比して、前記データに不整合または正常範囲値から逸脱する可能性があるかを解析することにより、不整合レポートを生成するステップを更に含むことを特徴とする［２］に記載の方法。
［６］  前記計算ステップａ）、ｂ）、ｃ）、ｄ）およびｅ）は、１）前記関係データベースシステムの所定の欄のデータにアクセスするステップと、２）前記データに所定の数式を適用するステップと、３）前記関係データベースシステムの所定の結果欄に前記結果を保存するステップとにより実行されることを特徴とする［２］に記載の方法。
［７］  各計算ステップの前に、後続の計算に必要なデータが欠落しているかを判定し、所定の基準と対比して、前記データに不整合または正常範囲値から逸脱する可能性があるかを解析することにより、不整合レポートを生成するステップを更に含むことを特徴とする［６］に記載の方法。
［８］  ４）各グラフィック・フォーマットが所定の入力パラメータを有するように規定するステップと、５）前記入力パラメータに一致する前記関係データベースの前記所定の結果欄へアクセスするステップとにより、所定のユーザー選択可能なグラフィック・フォーマットで前記結果を表示するステップを更に含むことを特徴とする［６］に記載の方法。
［９］  前記結果を示すために、前記所定の結果欄は、表計算シートに、次いでピボットテーブルにロードされることを特徴とする［８］に記載の方法。
［１０］  前記グラフィック・フォーマットは、ピボットテーブルを含む数値テーブルであることを特徴とする［８］に記載の方法。
［１１］  前記グラフィック・フォーマットは、ウォーターフォール図であることを特徴とする［８］に記載の方法。
［１２］  前記グラフィック・フォーマットは、棒グラフであることを特徴とする［８］に記載の方法。
［１３］  前記グラフィック・フォーマットは、折れ線グラフであることを特徴とする［８］に記載の方法。
［１４］  前記企業活動は製造作業であり、および製品ファミリー全体に掛かる費用は、製造資産の共用に基づいて配分されることを特徴とする［１］に記載の方法。
［１５］  前記資産の共用は、製品ファミリーが各資産を占有する時間の比率により決定されることを特徴とする［１４］に記載の方法。
［１６］  前記資産の共用は、製品ファミリーが各資産内を通過する数量の比率により決定されることを特徴とする［１４］に記載の方法。
［１７］  想定外の費用は、所定の基準に従い製造された全製品に対して割り掛けられることを特徴とする［１４］に記載の方法。
［１８］  各計算ステップの前に、各計算に必要なデータが欠落しているかを判定し、所定の基準と対比して、前記データに不整合または正常範囲値から逸脱する可能性があるかを解析することにより、不整合レポートを生成するステップを更に含むことを特徴とする［１］に記載の方法。
［１９］  前記不整合レポートが、欠落データまたは不整合を含むデータの存在を示唆する場合、前記計算を終了させるステップを更に含むことを特徴とする［１８］に記載の方法。
［２０］  製品の製造または取得活動の合計費用を計算する前記ステップａ）は、原材料リストにより、内製された等級の製造費用を調停するステップを更に含むことを特徴とする［２］に記載の方法。
［２１］  ａ）製造費用に影響を及ぼし得る費用の変化を受け取ったならば、全ての製造ユニットの諸元リストを各製品等級の製造の費用と比較し、各影響を受ける諸元を特定するステップであって、製造費用が、入力された製造構成に基づいて集計された値であるステップと、ｂ）製品等級の製造に用いる各影響を受けた諸元について、既存の（入力された、または予め計算された）諸元費用と製造費用との差を計算し、その際に固定費および変動費は独立に計算されるステップと、ｃ）前記既存の諸元費用と製造費用との差が所定の閾値を上回る場合、前記諸元費用を前記製造費用により更新するステップと、ｄ）全ての影響を受ける等級について、全製造費用値の再計算を開始するステップと、ｅ）ステップａ）〜ｄ）を、前記入力された諸元費用と前記製造費用との差が所定の閾値以下になるまで、あるいは反復が所定回数に達するまで繰り返すステップを含むことを特徴とする［２０］に記載の方法
［２２］  特定の企業活動により生じた経済価値を計算ユニットに計算させる命令群を含む機械読取り可能な記憶媒体であって、前記命令が、ａ）ユーザー・インターフェースからデータを受け取るステップと、ｂ）製品の製造または取得活動の合計費用を計算するステップと、ｃ）ユーザーが、すなわち顧客、販売地域、製品等級、および市場セグメントを含む１つまたは複数のパラメータを選択するための入力ポートを提供するステップと、ｄ）前記１つまたは複数のパラメータに関する販売数量および正味価格を計算するステップと、ｅ）前記１つまたは複数のパラメータに関する製造寄与を計算するステップと、ｆ）前記１つまたは複数のパラメータに関する税引き後営業利益を計算するステップと、ｇ）前記１つまたは複数のパラメータに関する経済付加価値を計算することにより、前記特定の企業活動により生じた前記経済価値を決定するステップとを含むことを特徴とする媒体。
［２３］  ［１］に従い特定の企業活動により生じた経済価値を決定する複合的方法であって、複数の電子表計算シートおよび関係データベースを利用し、前記表計算シートがデータの収集および結果の表示のために利用され、前記関係データベースが前記表計算から前記データを受け取って、所定の数式に従い結果を計算し、前記結果を所定のデータ構造に保存するために利用されることを特徴とする方法。
［２４］  ［１］に従い特定の企業活動により生じた経済価値を計算するシステムであって、前記システムが、ユーザー・インターフェースセクション、管理者アクセス可能セクション、データ・インターフェースセクション、およびリポジトリセクションを有するメモリが内蔵されたサーバーノードと、前記サーバーのメモリに接続可能であり、入力モードまたは出力モードのいずれかで操作可能である少なくとも１つのユーザー・ノードとを含み、前記ユーザー・インターフェースセクションは、データ入力用に少なくとも１つの所定のユーザーアクセス可能なフォームと、データおよび結果閲覧用に少なくとも１つの所定のグラフィック・フォーマットとを有し、前記管理者アクセス可能セクションは、前記ユーザー・インターフェースセクション、前記データ・インターフェースセクション、および前記リポジトリセクションへのアクセス特権を有し、前記リポジトリセクションは、ユーザーが入力した、またはデータ・インターフェースが受け取った所定のレコード、および前記レコードに演算を施して結果を得るための所定の数式を含んでいる少なくとも１つの関係データベースを有し、前記ユーザー・ノードは、前記入力モードで操作可能な場合、データの入力または前記ユーザーにより以前に入力されたレコードの編集を行なうために前記リポジトリセクションに接続可能であり、前記ユーザー・ノードは、前記出力モードにおいて操作可能な場合、データおよび結果の検索用の前記リポジトリセクションに接続可能であり、少なくとも１つの所定のグラフィック・フォーマットに従い、データおよび結果を表示することを特徴とするシステム。